(57)【要約】【課題】  セキュリティレベルの低下を抑止しつつ、利便性をより一層向上させることができる建物用状態監視システムを提供する。【解決手段】  状態監視システム１は、監視対象の状態を検出するセンサ装置２と、登録されたセンサ装置２からの入力信号に基づいて監視対象の状態を報知するモニタ装置３とを備えている。モニタ装置３は、センサ装置２の登録が可能な登録モードと、登録されたセンサ装置２からの入力信号に基づいて監視対象の状態を報知する監視モードと、該監視対象の状態が変化した際に警報を発する警戒モードとに切り換わるモニタ側マイコン３３を備えている。モニタ側マイコン３３は、センサ装置２の登録時に第１〜第３暗証入力スイッチ３８ａ〜３８ｃが操作されると、該センサ装置２を、警戒モードにおいて監視対象の状態が変化した際に即座に警報を発する通常監視態様とは異なる態様で監視する特殊監視対象として登録する。【選択図】      図１
2006172310.tif 000002
【特許請求の範囲】
【請求項１】
監視対象の状態を検出するセンサ装置と、該センサ装置の登録が可能な登録モード、登録されたセンサ装置からの入力信号に基づいて監視対象の状態を報知する監視モード、及び該監視対象の状態が変化した際に警報を発する警戒モードの何れかに選択的に切り換わる監視制御手段を有するモニタ装置とを備えた建物用状態監視システムであって、
前記監視制御手段は、前記センサ装置の登録時に他の機能に用いられる既存の操作部が所定の態様で操作された際に、該センサ装置を、前記警戒モードにおいて前記監視対象の状態が変化した際に即座に警報を発する通常監視態様とは異なる特殊監視態様で監視する特殊監視対象として登録する特殊登録処理を行うことを特徴とする建物用状態監視システム。
【請求項２】
前記監視制御手段は、前記特殊登録処理時にあっては、前記操作部の操作態様に応じて複数種の特殊監視態様から択一的に選択して対応する前記センサ装置を特殊監視対象として登録することを特徴とする請求項１に記載の建物用状態監視システム。
【請求項３】
前記特殊監視態様は、前記警戒モードにおいて前記監視対象の状態が変化してから警報を発するまでの時間を遅延させる遅延警報態様、及び前記監視モードにおいても前記監視対象の状態が変化した際に警報を発する全日警戒態様の少なくとも一方を含んでいることを特徴とする請求項１または請求項２に記載の建物用状態監視システム。
【請求項４】
前記モニタ装置は、前記特殊監視対象として登録された前記センサ装置を個別に表示する表示手段を備えることを特徴とする請求項１〜３のいずれか１項に記載の建物用状態監視システム。
【発明の詳細な説明】
【技術分野】
【０００１】
本発明は、例えば建物のドアや窓などの施解錠状態を監視する建物用状態監視システムに関するものである。
【背景技術】
【０００２】
従来、住宅等の建物のセキュリティレベルの向上を目的として、住宅等の窓の施解錠状態を監視する建物用状態監視システム（施解錠状態監視装置）が開示されている（例えば特許文献１参照）。
【０００３】
この建物用状態監視システムは、センサ装置（子機）とモニタ装置（親機）とを備えている。センサ装置は、窓の施解錠状態を検出し、該センサ装置毎に個別に設定されたＩＤコードと、自身が監視する窓の施解錠状態を示す状態コード（施錠状態コード又は解錠状態コード）とを含むＩＤコード信号を外部に送信する。
【０００４】
一方、モニタ装置は、センサ装置から送信されてくるＩＤコード信号を受信したとき、そのＩＤコード信号に含まれているＩＤコードからセンサ装置を特定する。そして、モニタ装置は、同じくＩＤコード信号に含まれている状態コードから、該特定したセンサ装置により監視されている窓の施解錠状態を認識する。そして、モニタ装置は、該窓が施錠状態にあるのか或いは解錠状態にあるのかを視覚的に報知する。その結果、モニタシステムが設置された住宅の家人は、モニタ装置による報知内容を一瞥するだけで窓の施解錠状態を的確に把握することができる。
【０００５】
また、モニタ装置には、在宅モードや警戒モードが存在する。在宅モードは、家人の在宅中に設定されることを前提としたモードである。このため、在宅モードでは、窓の施解錠状態を視覚的に報知することが主として行われ、窓が解錠されたときにはブザーがごく短時間だけ鳴動される。一方、警戒モードは、家人の外出に伴って設定されることを前提としたモードである。このため、警戒モードでは、窓が解錠されたときにはブザーが長時間に亘って鳴動される。
【０００６】
さて、こうした建物用状態監視システムを用いて窓の施解錠状態を監視するためには、予めセンサ装置をモニタ装置に登録しておく必要がある。ここで、センサ装置をモニタ装置に登録する場合、まずセンサ装置を窓の施錠装置（クレセント錠など）の近辺に設置する。そして、モニタ装置の登録スイッチを操作することでモニタ装置を登録モードに移行させる。すると、モニタ装置側において、登録対象となるセンサ装置に関連付けされるＬＥＤが点滅される。
【０００７】
そして、例えば４回連続で窓を施解錠操作するなど、所定態様で窓の施解錠操作を行うことによってセンサ装置を登録モードに移行させる。すると、該センサ装置から、該センサ装置毎に個別に設定されたＩＤコードと、該ＩＤコードが登録用のＩＤコードである旨をモニタ装置側で特定するための指標となる指標コードとを含む登録用信号が送信される。そして、この登録用信号がモニタ装置にて受信されたとき、該登録用信号に含まれているＩＤコードが、登録対象となるセンサ装置のＩＤコードであるものとしてモニタ装置に登録される。そして、モニタ装置のブザーが鳴動されることでセンサ装置の登録完了が報知される。その後、モニタ装置の登録スイッチが操作されたとき、一連の登録作業が完了する。
【特許文献１】特開２００２−１１５４２９号公報
【発明の開示】
【発明が解決しようとする課題】
【０００８】
ところで、一般に、こうした建物用状態監視システムに用いられるセンサ装置としては、窓の施解錠状態を検出するためのセンサ装置（窓用センサ装置）、ドアの施解錠状態を検出するためのセンサ装置（ドア用センサ装置）、及び、常に警戒モードにしておくためのセンサ装置（全日警戒用センサ装置）が挙げられる。なお、全日警戒用センサ装置は、例えば貴重品収納箇所の施錠装置などに用いられる。
【０００９】
そして、警戒モードにおいてモニタ装置は、窓用センサ装置から解錠状態コードを含むＩＤコード信号を受信すると、即座にブザーを鳴動させる。これに対し、警戒モードにおいてモニタ装置は、ドア用センサ装置から解錠状態コードを含むＩＤコード信号を受信した際には、予め設定された所定時間はブザーを鳴動させず、該所定時間内に警戒モードが解除されなかった場合にブザーを鳴動させる。一方、モニタ装置は、全日警戒用センサ装置から解錠状態コードを含むＩＤコード信号を受信した際には、警戒モードにあっては勿論、在宅モードにあっても即座にブザーを鳴動させる。
【００１０】
このように従来では、用途に応じて複数種のセンサ装置が必要になることから、建物用状態監視システムがコスト高になってしまう。また、例えば窓用センサ装置をドアの施錠装置に取り付けてしまうといった誤装着が生じると本来の最適な機能を果たさず、利便性やセキュリティレベルが低下してしまうおそれがあった。
【００１１】
このため、従来、高いセキュリティレベルを確保しつつ、一種類のセンサ装置を各種用途に用いることができるといった、利便性の高い建物用状態監視システムが要望されている。
【００１２】
本発明はこうした実情に鑑みてなされたものであり、その目的は、セキュリティレベルの低下を抑止しつつ、利便性をより一層向上させることができる建物用状態監視システムを提供することにある。
【課題を解決するための手段】
【００１３】
上記の課題を解決するために、請求項１に記載の発明では、監視対象の状態を検出するセンサ装置と、該センサ装置の登録が可能な登録モード、登録されたセンサ装置からの入力信号に基づいて監視対象の状態を報知する監視モード、及び該監視対象の状態が変化した際に警報を発する警戒モードの何れかに選択的に切り換わる監視制御手段を有するモニタ装置とを備えた建物用状態監視システムであって前記監視制御手段は、前記センサ装置の登録時に他の機能に用いられる既存の操作部が所定の態様で操作された際に、該センサ装置を、前記警戒モードにおいて前記監視対象の状態が変化した際に即座に警報を発する通常監視態様とは異なる特殊監視態様で監視する特殊監視対象として登録する特殊登録処理を行うことを要旨とする。
【００１４】
請求項２に記載の発明では、請求項１に記載の建物用状態監視システムにおいて、前記監視制御手段は、前記特殊登録処理時にあっては、前記操作部の操作態様に応じて複数種の特殊監視態様から択一的に選択して対応する前記センサ装置を特殊監視対象として登録することを要旨とする。
【００１５】
請求項３に記載の発明では、請求項１または請求項２に記載の建物用状態監視システムにおいて、前記特殊監視態様は、前記警戒モードにおいて前記監視対象の状態が変化してから警報を発するまでの時間を遅延させる遅延警報態様、及び前記監視モードにおいても前記監視対象の状態が変化した際に警報を発する全日警戒態様の少なくとも一方を含んでいることを要旨とする。
【００１６】
請求項４に記載の発明では、請求項１〜３のいずれか１項に記載の建物用状態監視システムにおいて、前記モニタ装置は、前記特殊監視対象として登録された前記センサ装置を個別に表示する表示手段を備えることを要旨とする。
【００１７】
以下、本発明の「作用」について説明する。
請求項１に記載の発明によると、監視制御手段は、登録モードにおいて他の機能に用いられる既存の操作部が所定の態様で操作されない場合には、通常の態様で監視する通常登録を行う。これに対し、監視制御手段は、登録モードにおいて該操作部が所定の態様で操作された場合には、センサ装置を、通常登録状態での監視態様とは異なる態様で監視する特殊監視対象として登録する。このため、監視制御手段は、通常登録を行ったセンサ装置と特殊登録を行ったセンサ装置とを認識可能となる。よって、例えば、警戒モードにおいて監視制御手段は、通常登録されたセンサ装置から監視対象の状態が変化した旨の入力信号が入力された際には、即座にその旨の警報を発することができる。これに対し、例えば、警戒モードにおいて監視制御手段は、特殊登録されたセンサ装置から監視対象の状態が変化した旨の入力信号が入力された際には、所定時間が経過した後にその旨の警報を発することができる。すなわち、監視制御手段は、一種類のセンサ装置を異なる態様で制御することが可能となる。それゆえ、こうした態様例を採用した場合においては、通常登録されたセンサ装置を窓用センサ装置として用い、特殊登録されたセンサ装置をドア用センサ装置として用いることができ、両センサ装置を共通化することができる。よって、セキュリティレベルの低下を抑止しつつ、利便性をより一層向上させることができる。
【００１８】
請求項２に記載の発明によると、監視制御手段による特殊登録処理時にあっては、複数種の特殊監視態様のうちの一つが、操作部の操作態様に応じて選択される。例えば、警戒モードにおいて監視対象の状態が変化した旨の入力信号が入力された際に所定時間が経過した後にその旨の警報を発する態様（遅延警報態様）と、監視対象の状態が変化した旨の入力信号が入力された際には在宅モードであってもその旨の警報を発する態様（全日警戒態様）とを、特殊監視態様として設定する。この場合、例えばドアの施解錠状態を監視するセンサ装置を遅延警報態様で監視する特殊監視対象として登録し、全日警戒が必要な施錠装置の施解錠状態を監視するセンサ装置を全日警戒態様で監視する特殊監視対象として登録すれば、建物全ての施錠装置の状態監視を、一種類のセンサ装置を用いて行うことができる。
【００１９】
請求項３に記載の発明によると、特殊監視態様として遅延警報態様を含んでいる場合には、例えばドア用センサ装置と窓用センサ装置とを一種類のセンサ装置に共通化することができる。また、特殊監視態様として全日警戒態様を含んでいる場合には、全日警戒が必要な装置を監視対象とするセンサ装置と窓用センサ装置とを一種類のセンサ装置に共通化することができる。
【００２０】
請求項４に記載の発明によると、特殊監視態様で登録されたセンサ装置は表示手段に個別に表示される。このため、ユーザは、表示手段を視認することにより、どのセンサ装置が特殊監視態様で登録されているかを容易且つ確実に認識することができる。
【発明の効果】
【００２１】
以上詳述したように、本発明によれば、セキュリティレベルの低下を抑止しつつ、利便性をより一層向上させることができる建物用状態監視システムを提供することができる。
【発明を実施するための最良の形態】
【００２２】
以下、本発明を住宅に用いられる状態監視システムに具体化した一実施形態を説明する。
図１に示すように、状態監視システム１は、センサ装置２とモニタ装置３とを備えている。センサ装置２は、監視対象の状態を検出するためのものであり、監視対象としては例えば窓やドア等の施錠装置などが挙げられる。モニタ装置３は、センサ装置２により検出された監視対象の状態を報知するためのものであり、例えばリビング等に配設される。本実施形態において状態監視システム１は、センサ装置２（送信側）からモニタ装置３（受信側）への単方向無線通信が可能となっている。なお、本実施形態の状態監視システム１においては、センサ装置２として５つのセンサ装置２Ａ〜２Ｅを用いた例を示す。詳しくは、センサ装置２Ａは、住宅１階の窓Ａ（監視対象）の施解錠状態を検出するためのものとして設定されている。センサ装置２Ｂは、住宅１階の窓Ｂ（監視対象）の施解錠状態を検出するためのものとして設定されている。センサ装置２Ｃは、住宅２階の窓Ｃ（監視対象）の施解錠状態を検出するためのものとして設定されている。センサ装置２Ｄは、住宅２階の窓Ｄ（監視対象）の施解錠状態を検出するためのものとして設定されている。センサ装置２Ｅは、住宅１階の玄関ドアＥ（監視対象）の施解錠状態を検出するためのものとして設定されている。これらセンサ装置２Ａ〜２Ｅは、全て同じ構成となっている。そこで、以下の説明においてはセンサ装置２Ａ〜２Ｅの各々の構成を、センサ装置２として説明する。
【００２３】
＜センサ装置２の構成＞
センサ装置２は、無線送信機能を有し、検出部（本実施形態ではリードスイッチ）２１、センサ側マイクロコンピュータ（センサ側マイコン）２２、送信回路２３、送信アンテナ２４を備えている。検出部２１は、監視対象の施解錠状態を検出するためのものであり、監視対象が施錠状態（ロック状態）にあるときにＯＮ状態となり、該ＯＮ状態である旨を示す検出信号をセンサ側マイコン２２に出力する。一方、検出部２１は、監視対象が解錠状態（アンロック状態）にあるときにＯＦＦ状態となり、該ＯＦＦ状態である旨を示す検出信号をセンサ側マイコン２２に出力する。
【００２４】
ちなみに、検出部２１は、監視対象（窓Ａ〜Ｄ及び玄関ドアＥのいずれか）を施解錠するために操作される操作部（例えばクレセント錠における操作つまみ）に内蔵された磁石を検出可能な磁気センサである。そして、監視対象を施錠するべく操作部が操作されると該操作部に内蔵された磁石が検出部２１に近接し、該検出部２１がＯＮ状態となる。一方、監視対象を解錠するべく該操作部が操作されると磁石が検出部２１から遠ざかり、該検出部２１がＯＦＦ状態となる。
【００２５】
センサ側マイコン２２は、図示しないＣＰＵ、ＲＯＭ、ＲＡＭ等からなるＣＰＵユニットであり、不揮発性のメモリ２２ａを備えている。メモリ２２ａには、センサ装置２Ａ〜２Ｅ毎に個別に設定されたＩＤコード（センサ装置２のＩＤコード）が記録されている。ここで、センサ装置２Ａのメモリ２２ａには、第１ＩＤコードが記録されている。センサ装置２Ｂのメモリ２２ａには、第２ＩＤコードが記録されている。センサ装置２Ｃのメモリ２２ａには、第３ＩＤコードが記録されている。センサ装置２Ｄのメモリ２２ａには、第４ＩＤコードが記録されている。センサ装置２Ｅのメモリ２２ａには、第５ＩＤコードが記録されている。
【００２６】
センサ側マイコン２２は、検出部２１から検出信号が入力されると、該検出信号に基づいて監視対象の施解錠状態を判断する。すなわち、センサ側マイコン２２は、ＯＮ状態を示す検出信号が入力されると対応する監視対象が施錠状態であると判断し、ＯＦＦ状態を示す検出信号が入力されると対応する監視対象が解錠状態であると判断する。そして、センサ側マイコン２２は、センサ装置２のＩＤコードと、該センサ装置２により検出された監視対象の施解錠状態を示す状態コードとを含むＩＤコード信号を送信回路２３に出力する。つまり、センサ側マイコン２２は、検出部２１から監視対象が施錠状態である旨を示す検出信号が入力されたときには、センサ装置２のＩＤコードと、監視対象が施錠状態である旨を示す施錠状態コードとを含むＩＤコード信号を送信回路２３に出力する。一方、センサ側マイコン２２は、検出部２１から監視対象が解錠状態である旨を示す検出信号が入力されたときには、センサ装置２のＩＤコードと、監視対象が解錠状態である旨を示す解錠状態コードとを含むＩＤコード信号を送信回路２３に出力する。
【００２７】
また、センサ側マイコン２２は、検出部２１のＯＮ状態・ＯＦＦ状態を短時間に所定回数繰り返し検出するとセンサ登録モードとなり、自身のＩＤコードと、該ＩＤコードが登録用のＩＤコードである旨をモニタ装置３側で特定するための指標となる指標コードとを含む登録用信号を、送信回路２３に出力する。なお、本実施形態においてセンサ側マイコン２２は、検出部２１のＯＮ状態・ＯＦＦ状態が１０秒の間に４回ずつ繰り返し検出した際にセンサ登録モードとなるように設定されている。すなわち、センサ側マイコン２２は、通常の施解錠操作では行われないような態様で各検出部２１と対応する監視対象の施解錠操作がなされた際に、センサ登録モードに移行するようになっている。
【００２８】
送信回路２３は、センサ側マイコン２２から入力されたＩＤコード信号や登録用信号を所定周波数（本実施形態では４２６ＭＨｚ）の電波に変調し、該電波を送信アンテナ２４を介して外部に送信する。ちなみに、センサ装置２Ａから送信されるＩＤコード信号及び登録用信号は、第１ＩＤコードを含む第１ＩＤコード信号及び第１登録用信号である。センサ装置２Ｂから送信されるＩＤコード信号及び登録用信号は、第２ＩＤコードを含む第２ＩＤコード信号及び第２登録用信号である。センサ装置２Ｃから送信されるＩＤコード信号及び登録用信号は、第３ＩＤコードを含む第３ＩＤコード信号及び第３登録用信号である。センサ装置２Ｄから送信されるＩＤコード信号及び登録用信号は、第４ＩＤコードを含む第４ＩＤコード信号及び第４登録用信号である。センサ装置２Ｅから送信されるＩＤコード信号及び登録用信号は、第５ＩＤコードを含む第５ＩＤコード信号及び第５登録用信号である。
【００２９】
＜モニタ装置３の構成＞
図２にも併せ示すように、モニタ装置３は、受信機能を有し、受信アンテナ３１、受信回路３２、監視制御手段としてのモニタ側マイクロコンピュータ（モニタ側マイコン）３３、表示部３４、ブザー３５、登録スイッチ３６、モード切換スイッチ３７及び既存の操作部としての暗証入力スイッチ３８を備えている。受信アンテナ３１は受信回路３２に電気的に接続され、該受信回路３２、表示部３４、ブザー３５、登録スイッチ３６、モード切換スイッチ３７及び暗証入力スイッチ３８は、それぞれモニタ側マイコン３３に電気的に接続されている。
【００３０】
受信アンテナ３１は、センサ装置２から送信されてくるＩＤコード信号を受信するための媒体である。受信回路３２は、受信アンテナ３１によりＩＤコード信号が受信されると、そのＩＤコード信号を復調して受信信号を生成し、その受信信号をモニタ側マイコン３３に出力する。
【００３１】
モニタ側マイコン３３は、図示しないＣＰＵ、ＲＯＭ、ＲＡＭ等からなるＣＰＵユニットであり、不揮発性のメモリ３３ａを備えている。メモリ３３ａには、複数（例えば３０個）のセンサ装置２のＩＤコードをそれぞれ記録可能となっている。本実施形態においてメモリ３３ａには、センサ装置２Ａの第１ＩＤコード乃至センサ装置２Ｅの第５ＩＤコードの各々と一致するＩＤコードが、住宅側の第１ＩＤコード〜第５ＩＤコードとして記録されている。また、メモリ３３ａには、暗証入力スイッチ３８から入力される暗証コード（本実施形態では４桁）を記録可能となっている。
【００３２】
特に、図２に示すように、メモリ３３ａには、住宅側の各ＩＤコードの各々が、後述する表示部３４のＬＥＤ３４ａ〜３４ｅの各々と関連付けされて記録されている。ちなみに、第１ＩＤコードはＬＥＤ３４ａと関連付けされ、第２ＩＤコードはＬＥＤ３４ｂと関連付けされている。同様に、第３ＩＤコードはＬＥＤ３４ｃと関連付けされ、第４ＩＤコードはＬＥＤ３４ｄと関連付けされ、第５ＩＤコードはＬＥＤ３４ｅと関連付けされている。
【００３３】
モニタ側マイコン３３は、受信回路３２から受信信号が入力されると、センサ装置２のＩＤコードと、メモリ３３ａに記録された住宅側の各ＩＤコードのいずれかとが、一致しているか否かを判断する。つまり、この場合、モニタ側マイコン３３は、ＩＤコード照合を実行する。その結果、モニタ側マイコン３３は、両ＩＤコードが一致したと判断した際に、該一致したＩＤコード（第１ＩＤコード〜第５ＩＤコードのいずれか）に関連付けされているＬＥＤ（ＬＥＤ３４ａ〜３４ｅのいずれか）に発光指令信号を出力する。また、モニタ側マイコン３３は、受信回路３２から入力された受信信号に住宅側の各ＩＤコードのいずれかと同一のＩＤコードが含まれており、且つ同受信信号に解錠状態コードが含まれていると判断した際に、ブザー３５に鳴動指令信号を出力する。
【００３４】
図２に示すように、表示部３４は、前記ＬＥＤ３４ａ〜３４ｅを含む複数の発光ダイオードによって構成され、モニタ装置３の意匠面に設けられている。こうした表示部３４を構成する各ＬＥＤはモニタ側マイコン３３から発光指令信号が入力されると、該発光指令信号に基づく色・パターンで発光する。本実施形態において各ＬＥＤは、「緑色」、「赤色」及び「橙色」で発光可能となっている。また、表示部３４においてＬＥＤ３４ａ〜３４ｅの各々に対応する位置には、監視対象を示す表記が施されている。ちなみに、ＬＥＤ３４ａに対応する位置には、「１階窓Ａ」の表記が施されている。ＬＥＤ３４ｂに対応する位置には、「１階窓Ｂ」の表記が施されている。ＬＥＤ３４ｃに対応する位置には、「２階窓Ｃ」の表記が施されている。ＬＥＤ３４ｄに対応する位置には、「２階窓Ｄ」の表記が施されている。ＬＥＤ３４ｅに対応する位置には、「玄関ドアＥ」の表記が施されている。なお、本実施形態において表示部３４は全て同等のＬＥＤによって構成されていることから、表示部３４にかかる説明をＬＥＤ３４ａ〜３４ｅについてのみ行うこととする。
【００３５】
ブザー３５は、モニタ装置３の意匠面に設けられ、モニタ側マイコン３３から鳴動指令信号が入力されている間だけ鳴動する。
また、モニタ装置３の意匠面には、表示部３４及びブザー３５の他、それぞれ押しボタンスイッチによって構成された登録スイッチ３６、モード切換スイッチ３７及び暗証入力スイッチ３８が設けられている。
【００３６】
ところで、モニタ側マイコン３３は、大別して在宅モード、警戒モード、及び登録モードを有し、それらのうちの何れかのモードに切り換わるようになっている。通常、モニタ側マイコン３３は、ユーザ（家人）の在宅中など、住宅の警戒を必要としない場合に設定される在宅モードに設定され、登録スイッチ３６やモード切換スイッチ３７が所定条件下で操作された際に、登録モードや警戒モードに切り換わるようになっている。
【００３７】
詳しくは、登録モードは、センサ装置２のＩＤコードをメモリ３３ａに記録可能なモード、すなわちセンサ装置２をモニタ装置３に登録可能なモードである。そして、モニタ側マイコン３３は、在宅モードにおいて登録スイッチ３６が操作された際に、登録モードに切り換わる。
【００３８】
警戒モードは、家人の留守時や在宅時においても警戒を必要と感じた場合に設定されるモードである。そして、モニタ側マイコン３３は、在宅モードにおいてモード切換スイッチ３７が操作された際に、警戒モードに切り換わる。なお、本実施形態においてモニタ側マイコン３３は、主として家人の在宅時においても警戒を必要と感じた場合に設定される「在宅警戒モード」と、主として家人の留守時に設定される「外出警戒モード」とを有している。そして、モニタ側マイコン３３は、在宅モードにおいてモード切換スイッチ３７が操作されると「在宅警戒モード」に切り換わり、該在宅警戒モードにおいてさらにモード切換スイッチ３７が操作されると「外出警戒モード」に切り換わるようになっている。
【００３９】
また、在宅警戒モード及び外出警戒モードにおいてモニタ側マイコン３３は、暗証入力スイッチ３８による暗証入力操作が行われた際に、在宅モードに切り換わるようになっている。暗証入力スイッチ３８は複数の押しボタンスイッチによって構成され、本実施形態においては、「Ａ」の記号が付された第１暗証入力スイッチ３８ａ、「Ｂ」の記号が付された第２暗証入力スイッチ３８ｂ、及び「Ｃ」の記号が付された第３暗証入力スイッチ３８ｃによって構成されている。そして、モニタ側マイコン３３は、後述する「暗証入力設定モード」においてメモリ３３ａに記録された暗証コード（ここでは４桁の暗証コード）が各暗証入力スイッチ３８ａ〜３８ｃによって入力された際に、在宅モードに切り換わるようになっている。
【００４０】
そこで、こうしたモニタ側マイコン３３の各種モードへの切換態様と各種モードにおける動作態様とを、図３〜図５を用いて説明する。
＜在宅モード＞
図３に示すように、通常、モニタ側マイコン３３は在宅モードとなっている（項目［１］）。この在宅モードにおいてモニタ側マイコン３３は、メモリ３３ａに登録されたセンサ装置２によって検出される監視対象の状態を監視し、その結果をＬＥＤ３４ａ〜３４ｅ及びブザー３５によって報知する監視制御を行う。具体的には、１階の窓Ａが施錠状態にある場合には、ＬＥＤ３４ａが緑色に点灯される。同様に、窓Ｂ（窓Ｃ、窓Ｄ、玄関ドアＥ）が施錠状態にある場合には、ＬＥＤ３４ｂ（３４ｃ，３４ｄ，３４ｅ）が緑色に点灯される。すなわち、モニタ側マイコン３３は、在宅モードにおいて監視対象が施錠状態にあると判断した場合には、対応するＬＥＤ３４ａ〜３４ｅに対して、緑色点灯させる旨の発光指令信号を出力する。
【００４１】
これに対し、１階の窓Ａが解錠状態にある場合には、ＬＥＤ３４ａが赤色に点灯される。同様に、窓Ｂ（窓Ｃ、窓Ｄ、玄関ドアＥ）が解錠状態にある場合には、ＬＥＤ３４ｂ（３４ｃ，３４ｄ，３４ｅ）が赤色に点灯される。すなわち、モニタ側マイコン３３は、在宅モードにおいて監視対象が施錠状態にあると判断した場合には、対応するＬＥＤ３４ａ〜３４ｅに対して、赤色点灯させる旨の発光指令信号を出力する。加えて、モニタ側マイコン３３は、窓Ａ〜Ｄ及び玄関ドアＥの少なくとも１つが施錠状態から解錠状態に切り換わったと判断した際には、ブザー３５に鳴動指令信号を短時間（例えば１秒間）だけ出力し、ブザー３５を短時間だけ鳴動させる。
【００４２】
また、モニタ側マイコン３３は、全日警戒機能が設定されたセンサ装置２が存在する場合、該センサ装置２と対応する監視対象が施錠状態から解錠状態に切り換わったと判断すると、それを異常検知と判断して在宅警報モードに移行する（項目［２］、［３］）。この在宅警報モードにおいてモニタ側マイコン３３は、対応するＬＥＤ３４ａ〜３４ｅに対して赤色点滅させる旨の発光指令信号を出力し、該ＬＥＤ３４ａ〜３４ｅを赤色点滅させるとともに、ブザー３５に鳴動指令信号を長時間（例えば３０秒間）に亘って出力してブザー３５を長時間に亘って鳴動させる。加えて、モニタ側マイコン３３は、前記在宅モードにおけるブザー３５の鳴動時よりも大音量でブザー３５を鳴動させる。モニタ側マイコン３３は、こうした在宅警報モードにおいて所定時間（例えば３０秒）が経過した場合または該時間内にモード切換スイッチ３７が操作された場合に、在宅モードに移行する（項目［４］）。すなわち、この在宅警報モードにあっては、モニタ側マイコン３３は、ブザー３５を鳴動させている間にモード切換スイッチ３７が操作されると、該ブザー３５の鳴動を停止させて在宅モードに切り換わるようになっている。
【００４３】
＜在宅モードから警戒モードへの切り換え＞
また、モニタ側マイコン３３は、在宅モードにおいてモード切換スイッチ３７が操作されると、在宅警戒準備モードに移行する（項目［５］、［６］）。そして、在宅警戒準備モードにおいて何も操作しない状態が所定時間（例えば１０秒）経過すると、モニタ側マイコン３３は在宅警戒モードに移行する（項目［７］、［１２］）。これに対し、在宅警戒準備モードにおいて該所定時間内にモード切換スイッチ３７がさらに操作されると、モニタ側マイコン３３は外出警戒準備モードに移行する（項目［８］、［９］）。そして、この外出警戒準備モードにおいて何も操作しない状態が所定時間（例えば１０秒）経過すると、モニタ側マイコン３３は外出警戒モードに移行する（項目［１０］、［１８］）。これに対し、外出警戒準備モードにおいて該所定時間内にモード切換スイッチ３７がさらに操作されると、モニタ側マイコン３３は再び在宅モードに移行する（項目［１１］）。
【００４４】
＜在宅警戒モード＞
在宅警戒モード（項目［１２］）においてモニタ側マイコン３３は、監視対象が施錠状態にある場合には、対応するＬＥＤ３４ａ〜３４ｅに対して緑色点灯させる旨の発光指令信号を出力し、該ＬＥＤ３４ａ〜３４ｅを緑色点灯させる。これに対し、モニタ側マイコン３３は、監視対象のうちの１つでも施錠状態から解錠状態に切り換わったと判断すると、異常検知と判断して在宅警戒警報モードに移行する（項目［１３］、［１４］）。この在宅警戒警報モードにおいてモニタ側マイコン３３は、対応するＬＥＤ３４ａ〜３４ｅに対して赤色点滅させる旨の発光指令信号を出力し、該ＬＥＤ３４ａ〜３４ｅを赤色点滅させる。それとともに、モニタ側マイコン３３は、全日警報モード時と同様に、ブザー３５に鳴動指令信号を長時間（例えば３０秒間）に亘って出力してブザー３５を長時間に亘って鳴動させる。モニタ側マイコン３３は、こうした在宅警戒警報モードにおいて所定時間（例えば３０秒）が経過した場合または該時間内にモード切換スイッチ３７が操作された場合に、在宅警戒モードに移行する（項目［１５］）。すなわち、この在宅警報モードにあっては、モニタ側マイコン３３は、ブザー３５を鳴動させている間にモード切換スイッチ３７が操作されると、該ブザー３５の鳴動を停止させて在宅警戒モードに切り換わるようになっている。
【００４５】
また、在宅警戒モードにおいてモニタ側マイコン３３は、設定された暗証コードが暗証入力スイッチ３８により入力されると在宅モードに切り換わり（項目［１６］）、モード切換スイッチ３７が操作されると外出警戒モードに切り換わる（項目［１７］、［１８］）。
【００４６】
＜外出警戒モード＞
外出警戒モード（項目［１８］）においてモニタ側マイコン３３は、監視対象が施錠状態にある場合には、対応するＬＥＤ３４ａ〜３４ｅに対して緑色点灯させる旨の発光指令信号を出力し、該ＬＥＤ３４ａ〜３４ｅを緑色点灯させる。これに対し、モニタ側マイコン３３は、監視対象のうちの１つでも施錠状態から解錠状態に切り換わったと判断すると、異常検知と判断して外出警戒警報モードに移行する（項目［１９］、［２０］）。この外出警戒警報モードにおいてモニタ側マイコン３３は、対応するＬＥＤ３４ａ〜３４ｅに対して赤色点滅させる旨の発光指令信号を出力し、該ＬＥＤ３４ａ〜３４ｅを赤色点滅させる。それとともに、モニタ側マイコン３３は、全日警報モード時や在宅警戒警報モード時と同様に、ブザー３５に鳴動指令信号を長時間（例えば３０秒間）に亘って出力してブザー３５を長時間に亘って鳴動させる。モニタ側マイコン３３は、こうした外出警戒警報モードにおいて所定時間（例えば３０秒）が経過した場合に、外出警戒モードに移行する（項目［２１］）。また、ブザー３５の鳴動中に暗証入力スイッチ３８により前記暗証コードが入力されると、モニタ側マイコン３３は、ブザー３５の鳴動を停止させて在宅モードに切り換わる（項目［２２］）。なお、この外出警戒警報モードでのブザー３５の鳴動中にあっては、前記在宅警戒警報モードとは異なり、モード切換スイッチ３７が操作されても外出警戒モードには切り換わらない。すなわち、一旦外出警戒警報モードにおいてブザー３５が鳴動されると、設定された暗証コードを入力しない限り、所定時間が経過するまでブザー３５の鳴動を停止させることはできない。
【００４７】
また、外出警戒モードにおいてモニタ側マイコン３３は、暗証入力スイッチ３８により前記暗証コードが入力されると、在宅モードに切り換わる（項目［２３］）。
＜登録モード＞
ところで、在宅モードにおいて登録スイッチ３６が操作されると、モニタ側マイコン３３は、登録モードに切り換わる（項目［２４］、［２５］）。
【００４８】
この登録モードにおいてモニタ側マイコン３３は、センサ装置２を通常の監視対象として登録する通常登録処理と、該通常登録されたセンサ装置２の監視態様とは異なる態様で監視を行う特殊登録処理とを選択的に行うようになっている。そこで、センサ装置２の登録手順とそれに伴うモニタ側マイコン３３の動作態様とを、図４及び図５を参照しつつ説明する。
【００４９】
図４（ａ）に「登録手順＜１＞」として示すように、モニタ側マイコン３３は、在宅モードにおいて登録スイッチ３６が操作されると、登録モードに移行する（Ｓ１〜Ｓ３）。すなわち、モニタ側マイコン３３は、在宅モードで登録スイッチ３６が操作された場合にのみ登録モードに切り換わる。
【００５０】
登録モードに移行すると、モニタ側マイコン３３は、まず表示部３４のＬＥＤ３４ａを緑色で点灯または点滅させる。ここで、モニタ側マイコン３３は、既にセンサ装置２がＬＥＤ３４ａに対応付けして登録されている場合にはＬＥＤ３４ａを緑色点灯（連続点灯）させ、センサ装置２がＬＥＤ３４ａに対応付けして登録されていない場合にはＬＥＤ３４ａを緑色点滅させる。このため、ユーザは、ＬＥＤ３４ａの点灯態様により、センサ装置２が該ＬＥＤ３４ａに対応付けして登録されているか否かを容易且つ確実に判断することができる。
【００５１】
また、緑色点滅させるＬＥＤ、すなわち対応付けするＬＥＤは選択可能となっており、本実施形態においては、モード切換スイッチ３７が短時間（ここでは２秒未満）だけ操作されると、対応付けされるＬＥＤがシフトするようになっている。例えば、ＬＥＤ３４ａが緑色点灯（または点滅）している状態でモード切換スイッチ３７が短時間だけ操作されると、次のＬＥＤ３４ｂを緑色点灯（または点滅）させるようになっている。このため、ＬＥＤ３４ａに対応付けて登録されたセンサ装置２が存在しない状態であっても、次のＬＥＤ３４ｂに対応付けしてセンサ装置２を登録することが可能となる。このようにしてユーザは、モード切換スイッチ３７を短時間操作することにより、対応付けするＬＥＤを選択する（Ｓ４）。
【００５２】
そして、登録対象となるセンサ装置２が特殊登録すべきものであれば、ＬＥＤの選択後、第１〜第３暗証入力スイッチ３８ａ〜３８ｃのうちの何れかを操作する（Ｓ５）。該操作が行われると、モニタ側マイコン３３は、選択されたＬＥＤに対応付けして登録されるセンサ装置２の監視態様を、該操作に応じた特殊監視態様に設定する。なお、図５に示すように、本実施形態においては、第１暗証入力スイッチ３８ａが操作されると、遅延時間１分の遅延警報態様が特殊監視態様として採用されるようになっている。また、第２暗証入力スイッチ３８ｂが操作されると、遅延時間３分の遅延警報態様が特殊監視態様として採用されるようになっている。また、第３暗証入力スイッチ３８ｃが操作されると、全日警戒態様が特殊監視態様として採用されるようになっている。
【００５３】
その後、登録すべきセンサ装置２の登録操作を行う（Ｓ６）。なお、前述したように本実施形態におけるセンサ装置２の登録操作は、該センサ装置２と対応する監視対象の施解錠操作を所定回数繰り返し行う操作に設定されている。
【００５４】
そして、モニタ側マイコン３３は、センサ装置２からの登録用信号が入力されると、該登録用信号に含まれるＩＤコードと、特殊監視態様の種類を示す特殊監視コードとを、選択されたＬＥＤに対応付けしてメモリ３３ａに記録し、登録を完了する（Ｓ７）。また、モニタ側マイコン３３は、登録が完了すると、ブザー３５を短時間（例えば１秒間）だけ鳴動させるとともに、対応付けされたＬＥＤの点灯状態を緑色点滅状態から緑色点灯状態に変化させて、センサ装置２の登録完了を報知する。その後、モニタ側マイコン３３は登録可能な別のＬＥＤを緑色点滅させ、該ＬＥＤに別のセンサ装置２を対応付けして登録可能な状態である旨を報知する。
【００５５】
こうした特殊登録の具体例を挙げると、例えば玄関ドアＥの施解錠状態を監視するセンサ装置２（センサ装置２Ｅ）を、遅延時間１分の遅延警報態様となるようにＬＥＤ３４ｅに対応付けして特殊登録する場合には、次の登録手順となる。すなわちこの場合には、在宅モードから登録モードに切り換え、モード切換スイッチ３７の短時間操作によりＬＥＤ３４ｅを選択した後、第１暗証入力スイッチ３８ａを操作し、センサ装置２Ｅの登録操作、すなわち玄関ドアＥの施解錠を複数回繰り返す操作を行う。
【００５６】
こうした手順で玄関ドアＥと対応するセンサ装置２Ｅの特殊登録が完了すると、前記在宅モードや警戒モードにおいては、玄関ドアＥの施解錠状態がＬＥＤ３４ｅによって表示されることとなる。また、警戒モードにおいて玄関ドアＥの解錠状態への変化がセンサ装置２Ｅによって検出されると、モニタ側マイコン３３は、該検出から１分間はブザー３５を鳴動させず、１分が経過した時点でブザー３５を長時間に亘って鳴動させる制御を行うこととなる。
【００５７】
同様に、センサ装置２の登録時に第２暗証入力スイッチ３８ｂが操作された場合には、該センサ装置２と対応する監視対象は遅延時間３分の遅延警報態様で監視されることとなる。この場合、警戒モードにおいて監視対象の解錠への変化が該センサ２装置によって検出されると、モニタ側マイコン３３は、該検出から３分間はブザー３５を鳴動させず、３分が経過した時点でブザー３５を長時間に亘って鳴動させる制御を行うこととなる。また、センサ装置２の登録時に第３暗証入力スイッチ３８ｃが操作された場合には、該センサ装置２と対応する監視対象は全日警戒態様で監視されることとなる。この場合、警戒モードはもちろん在宅モードにおいても、監視対象の解錠への変化が該センサ装置２によって検出されると、モニタ側マイコン３３は即座にブザー３５を長時間に亘って鳴動させる制御を行うこととなる。
【００５８】
これに対し、登録対象となるセンサ装置２が通常監視登録すべきものであれば、上記Ｓ５で示した操作を行わず、上記Ｓ４におけるＬＥＤの選択後に上記Ｓ６で示したセンサ装置２の登録操作を行う。この場合、モニタ側マイコン３３は、センサ装置２からの登録用信号が入力されると、該登録用信号に含まれるＩＤコードを、選択されたＬＥＤに対応付けしてメモリ３３ａに記録する。
【００５９】
こうした通常登録の具体例を挙げると、例えば住宅１階の窓Ａの施解錠状態を監視するセンサ装置２（センサ装置２Ａ）を、ＬＥＤ３４ａに対応付けして通常登録する場合には、次の登録手順となる。すなわちこの場合には、在宅モードから登録モードに切り換え、モード切換スイッチ３７の短時間操作によりＬＥＤ３４ｅを選択した後、センサ装置２Ａの登録操作、すなわち窓Ａの施解錠を複数回繰り返す操作を行う。
【００６０】
こうした手順で窓Ａと対応するセンサ装置２Ａの通常登録が完了すると、前記在宅モードや警戒モードにおいては、窓Ａの施解錠状態がＬＥＤ３４ａによって表示されることとなる。また、警戒モードにおいて窓Ａの解錠状態への変化がセンサ装置２Ａによって検出されると、モニタ装置３は、即座にブザー３５を長時間に亘って鳴動させる制御を行うこととなる。
【００６１】
なお、本実施形態においては、対応付けして登録されていないＬＥＤに対してのみ、センサ装置２の新規登録が可能となっている。すなわち、Ｓ４において選択されたＬＥＤにセンサ装置２が既に対応付けして登録されている場合には、別の新たなセンサ装置２を該ＬＥＤに対応付けして登録することはできないようになっている。
【００６２】
但し、モニタ側マイコン３３は、まだ登録されていないセンサ装置２をモニタ装置３に登録する操作時（初期登録操作時）に限らず、既に登録されているセンサ装置２に対する特殊監視態様の設定に関しては可能となっている。詳しくは、モニタ側マイコン３３は、既に登録されているＬＥＤが選択され（Ｓ４）、その状態で第１〜第３暗証入力スイッチ３８ａ〜３８ｃのうちの何れかが操作されると（Ｓ５）、対応するセンサ装置２の監視態様を、該操作に応じた特殊監視態様に設定する。このため、既に登録されたセンサ装置２に対しても、通常監視態様から特殊監視態様への変更を容易に行うことが可能となる。
【００６３】
モニタ側マイコン３３は、こうした登録モードにおいて登録スイッチ３６が操作されたり、または登録モードにおいて何ら操作がされない状態が所定時間（ここでは１５分間）経過したりすると、在宅モードに切り換わる（項目［２６］）。
【００６４】
また、登録モードにおいてモード切換スイッチ３７が長時間（ここでは２秒以上）に亘って操作されると、モニタ側マイコン３３は暗証入力設定モードに切り換わる（項目［２７］、［２８］）。
【００６５】
＜暗証入力設定モード＞
暗証入力設定モードにおいてモニタ側マイコン３３は、暗証コードを設定可能である旨を図示しない表示部や音声によって通知する。ここでメモリ３３ａにまだ暗証コードが記録されていない場合、モニタ側マイコン３３は、第１〜第３暗証入力スイッチ３８ａ〜３８ｃにより４桁の暗証コードが入力されると、その暗証コードをメモリ３３ａに記録する。この４桁の暗証コードは家人によって任意に設定可能であり、例えば「ＡＢＣＡ」を暗証コードとして設定する場合、家人は、第１暗証入力スイッチ３８ａ→第２暗証入力スイッチ３８ｂ→第３暗証入力スイッチ３８ｃ→第１暗証入力スイッチ３８ａの順に操作することで、該暗証コードを設定可能となる。また、メモリ３３ａに既に暗証コードが記録されている場合、モニタ側マイコン３３は、その暗証コードの入力を促す旨を図示しない表示部や音声によって通知する。その後、既に記録されている暗証コードが第１〜第３暗証入力スイッチ３８ａ〜３８ｃによって入力されると、モニタ側マイコン３３は、新たな暗証コードの設定が可能である旨を通知する。そして、新たな暗証コードが入力されると、モニタ側マイコン３３は、メモリ３３ａに既に記録されている暗証コードを消去するとともに、新たな暗証コードをメモリ３３ａに記録する。
【００６６】
モニタ側マイコン３３は、こうした暗証入力設定モードにおいて、登録スイッチ３６が操作された場合、または何も操作されない時間が所定時間（ここでは５分間）が経過した際に、在宅モードに切り換わる（項目［２９］）。
【００６７】
また、モニタ側マイコン３３は、暗証入力設定モードにおいて第１〜第３暗証入力スイッチ３８ａ〜３８ｃの何れかが所定時間（ここでは２秒間）以上長押しされると、巡回暗証入力設定モードに切り換わる（項目［３０］、［３１］）。
【００６８】
＜巡回暗証入力設定モード＞
巡回暗証入力設定モードとは、例えば住宅を警備する警備会社等、家人以外に使用許可された人物用の暗証コードを設定可能なモードである。この巡回暗証入力設定モードにおいてモニタ側マイコン３３は、巡回暗証コードを設定可能である旨を図示しない表示部や音声によって通知する。ここでメモリ３３ａにまだ巡回暗証コードが記録されていない場合、モニタ側マイコン３３は、第１〜第３暗証入力スイッチ３８ａ〜３８ｃにより４桁の巡回暗証コードが入力されると、その巡回暗証コードをメモリ３３ａに記録する。また、メモリ３３ａに既に巡回暗証コードが記録されている場合、モニタ側マイコン３３は、その巡回暗証コードの入力を促す旨を図示しない表示部や音声によって通知する。その後、既に記録されている巡回暗証コードが第１〜第３暗証入力スイッチ３８ａ〜３８ｃによって入力されると、モニタ側マイコン３３は、新たな巡回暗証コードの設定が可能である旨を通知する。そして、新たな巡回暗証コードが入力されると、モニタ側マイコン３３は、メモリ３３ａに既に記録されている巡回暗証コードを消去するとともに、新たな巡回暗証コードをメモリ３３ａに記録する。
【００６９】
モニタ側マイコン３３は、こうした巡回暗証入力設定モードにおいて、登録スイッチ３６が操作された場合、または何も操作されない時間が所定時間（ここでは５分間）が経過した際に、在宅モードに切り換わる（項目［３２］）。
【００７０】
なお、モニタ側マイコン３３は、こうした巡回暗証入力設定モードを必ずしも備えている必要はない。
＜登録状態の確認表示＞
ところで、モニタ側マイコン３３は、在宅モードにおいて第１〜第３暗証入力スイッチ３８ａ〜３８ｃの何れかが操作された際に、登録されている全てのセンサ装置２の登録状態を、表示部３４において対応するＬＥＤに個別に表示するようになっている。詳しくは、本実施形態においてモニタ側マイコン３３は、通常登録されているセンサ装置２と対応するＬＥＤを緑色点滅させる。これに対し、モニタ側マイコン３３は、遅延警報態様で登録されているセンサ装置２と対応するＬＥＤを橙色点滅（遅延１分→１秒間隔、遅延３分→３秒間隔）させ、全日警戒態様で登録されているセンサ装置２と対応するＬＥＤを橙色点灯（連続点灯）させる。このため、ユーザは、登録されている全てのセンサ装置２が、どの態様で登録されているかを容易且つ確実に認識可能となる。なお、こうした確認表示は、所定時間（例えば４秒間）が経過した後に自動的に終了し、通常の点灯態様に復帰するようになっている。
【００７１】
したがって、本実施形態によれば以下のような効果を得ることができる。
（１）モニタ側マイコン３３の登録モードにおいて第１〜第３暗証入力スイッチ３８ａ〜３８ｃが何ら操作されない場合には、警戒モードにおいて監視対象の状態が変化した際に即座に警報を発する通常監視態様でセンサ装置２をモニタ装置３に登録可能となる。これに対し、該登録モードにおいて第１〜第３暗証入力スイッチ３８ａ〜３８ｃを所定時間以上長押しすると、遅延警報態様や全日警戒態様といった特殊監視態様でセンサ装置２をモニタ装置３に登録可能となる。このため、モニタ側マイコン３３は、通常登録を行ったセンサ装置２と特殊登録を行ったセンサ装置２とを認識可能となる。よって、警戒モードにおいてモニタ側マイコン３３は、通常登録されたセンサ装置２から監視対象の状態が変化した旨の入力信号が入力された際には、即座にその旨の警報を発することができる。これに対し、例えば、センサ装置２の登録時に遅延警報態様を設定した場合、警戒モードにおいてモニタ側マイコン３３は、特殊登録されたセンサ装置２から監視対象の状態が変化した旨の入力信号が入力された際に、所定時間が経過した後にその旨の警報を発することができる。また、例えばセンサ装置２の登録時に全日警戒態様を設定した場合、モニタ側マイコン３３は、警戒モードはもちろん在宅モードにおいても、監視対象の状態が変化した旨の入力信号が入力されるとその旨の警報を即座に発することができる。すなわち、モニタ側マイコン３３は、一種類のセンサ装置２から入力される入力信号に基づき、異なる態様で監視対象を監視することができる。それゆえ、こうした態様例を採用した場合においては、通常登録されたセンサ装置２を窓用センサ装置として用い、特殊登録されたセンサ装置２をドア用センサ装置や全日警戒用センサ装置として用いることができ、各センサ装置を共通化することができる。よって、一種類のセンサ装置２をセキュリティレベルの低下を招くことなく多岐の用途に適用することができ、該センサ装置２の汎用性を高めることができる。それゆえ、状態監視システム１として、セキュリティレベルの低下を抑止しつつ、利便性をより一層向上させることができる。
【００７２】
（２）モニタ装置３には、複数のセンサ装置２をそれぞれ個別に特殊監視態様で登録可能となっている。このため、ユーザは、用途に応じて自由にセンサ装置２の特殊登録を行うことができる。よって、状態監視システム１の更なる利便性の向上を図ることができる。
【００７３】
（３）モニタ側マイコン３３による特殊登録処理時にあっては、複数種の特殊監視態様のうちの一つが、第１〜第３暗証入力スイッチ３８ａ〜３８ｃの操作態様に応じて選択される。詳しくは、本実施形態においては、第１暗証入力スイッチ３８ａが操作されると１分の遅延警報態様が選択され、第２暗証入力スイッチ３８ｂが操作されると３分の遅延警報態様が選択され、第３暗証入力スイッチ３８ｃが操作されると全日警戒態様が選択される。このため、例えば玄関ドアＥの施解錠状態を監視するセンサ装置２Ｅを遅延警報態様で監視する特殊監視対象として登録し、全日警戒が必要な施錠装置の施解錠状態を監視するセンサ装置２を全日警戒態様で監視する特殊監視対象として登録すれば、建物全ての施錠装置の状態監視を、一種類のセンサ装置２を用いて行うことができる。
【００７４】
（４）表示部３４には、通常監視態様で登録されたセンサ装置２と、特殊監視態様で登録されたセンサ装置２とが、異なる態様で個別に表示される。このため、ユーザは、表示部３４を視認することにより、どのセンサ装置２が通常監視態様で登録され、どのセンサ装置２が特殊監視態様で登録されているかを容易且つ確実に認識することができる。しかも、表示部３４には、登録状態がセンサ装置２毎に個別に表示されるため、ユーザはより確実に各センサ装置２の登録状態を認識することができる。
【００７５】
（５）特殊監視態様でセンサ装置２を登録するための操作部として、「既存の操作部」としての暗証入力スイッチ３８が用いられている。このため、特殊登録を行うための操作部を新たに設ける必要がなく、モニタ装置３の部品点数の増加を抑制することができる。
【００７６】
（６）暗証入力スイッチ３８が、特殊監視態様でセンサ装置２を登録するための「既存の操作部」として用いられている。一般に、暗証入力スイッチ３８は、複数種の暗証コードを入力可能となっている必要があることから、複数個のスイッチ（本実施形態では３つのスイッチ３８ａ〜３８ｃ）を備えている。このため、こうした暗証入力スイッチ３８を特殊監視態様でセンサ装置２を登録するためのスイッチとして用いることにより、複数種の特殊監視態様でセンサ装置２を登録可能とした際に、そのための操作を容易且つ確実に区別することができる。
【００７７】
（７）センサ装置２に対する特殊監視態様の設定は、該センサ装置２の初期登録時はもちろん、既に登録されたセンサ装置２に対しても可能となっている。このため、既に登録されたセンサ装置２に対しても、通常監視態様から特殊監視態様への変更を容易に行うことができる。
【００７８】
なお、本発明の実施形態は以下のように変更してもよい。
・  前記実施形態においてモニタ側マイコン３３は、同一の登録モードで通常登録と特殊登録とを可能となっている。しかし、モニタ側マイコン３３は、通常登録のみが可能な登録モードと、特殊登録のみが可能な登録モードとを有していてもよい。例えば、図４（ｂ）に「登録手順＜２＞」として示すように、モニタ側マイコン３３は、前記Ｓ１〜Ｓ３の手順によって「登録モード」に移行した後、同図にＳ１１及びＳ１２で示すように、登録スイッチ３６が所定時間（例えば２秒間）以上長押しされた際に「特殊登録モード」に移行するようになっていてもよい。このようにすれば、通常登録すべきところを特殊登録してしまうなどの誤登録を確実に抑止することができる。なお、特殊登録モードへは、登録スイッチ３６の長押しに限らず、例えば第１〜第３暗証入力スイッチ３８ａ〜３８ｃなど、他のスイッチの長押しによって切り換わるようになっていてもよい。
【００７９】
・  図５に示したように、前記実施形態では、登録モードにおいて第１暗証入力スイッチ３８ａが操作されると遅延時間１分の遅延警報態様、第２暗証入力スイッチ３８ｂが操作されると遅延時間３分の遅延警報態様、第３暗証入力スイッチ３８ｃが操作されると全日警戒態様が設定されるようになっている。すなわち、前記実施形態では、２種類の遅延警報態様と全日警戒態様とを設定可能となっている。しかし、例えば１種類の遅延警報態様と全日警戒態様とを設定可能としたり、全日警戒態様の設定を省略したりしてもよい。具体的には、例えば第２暗証入力スイッチ３８ｂが操作された場合でも遅延時間１分の遅延警報態様が設定されるようにして、１種類の遅延警報態様と全日警戒態様とを設定可能としてもよい。また、例えば第３暗証入力スイッチ３８ｃが操作された場合には遅延時間３０秒の遅延警報態様が設定されるようにして３種類の遅延警報態様を設定可能とし、全日警戒態様を設定できないようにしてもよい。さらには、例えば２つまたは３つの暗証入力スイッチ３８ａ〜３８ｃが操作されることにより、別の特殊監視態様（例えば「遅延警報＋全日警戒」）が設定されるようにしてもよい。
【００８０】
・  センサ装置２に対する特殊監視態様の設定は、新規に登録されるセンサ装置２に対してのみ可能となっていてもよい。また、該設定は、既に登録されたセンサ装置２に対してのみ可能となっていてもよい。
【００８１】
・  前記実施形態において遅延警報態様における遅延時間は予め設定された時間となっている。しかし、こうした遅延時間は、ユーザによって自由に設定可能となっていてもよい。
【００８２】
・  前記実施形態では、「既存の操作部」として第１〜第３暗証入力スイッチ３８ａ〜３８ｃが用いられている。しかし、「既存の操作部」として、例えばモード切換スイッチ３７など、他の操作部が用いられてもよい。この場合、例えばモード切換スイッチ３７の操作回数に応じて特殊監視態様が決定されるようになっていれば、前記実施形態と同様に複数種の特殊監視態様のうちの一つを選択することができ、前記実施形態と同等の利便性を奏し得ることができる。
【００８３】
・  前記実施形態においてモニタ側マイコン３３は、在宅モードで第１〜第３暗証入力スイッチ３８ａ〜３８ｃが操作された際に、登録されている全てのセンサ装置２の登録状態を、表示部３４において対応するＬＥＤに個別に表示するようになっている。しかし、モニタ側マイコン３３は、こうした登録状態の確認表示を必ずしも行うようになっている必要はない。
【００８４】
・  前記実施形態においてモニタ装置３には、複数のセンサ装置２をそれぞれ個別に特殊監視態様で登録可能となっている。しかし、モニタ装置３には、複数のセンサ装置２のうちの一部のみが特殊監視態様で登録可能となっていてもよい。すなわち、モニタ装置３に特殊監視態様で登録可能なセンサ装置２の数が制限されていてもよい。
【００８５】
・  表示部３４を構成する複数のＬＥＤ（ＬＥＤ３４ａ〜３４ｅ等）のうち、予め設定されたＬＥＤ（例えばＬＥＤ３４ｅ）と対応付けして登録されるセンサ装置２のみが特殊監視態様で登録可能となっていてもよい。
【００８６】
・  前記実施形態においてモニタ側マイコン３３は、在宅警戒モード及び外出警戒モードの２種類の警戒モードを有している。しかし、モニタ側マイコン３３は、外出警戒モードのみを警戒モードとして有していたり、さらに別の警戒モードを有していたりしてもよい。
【００８７】
・  「状態監視」とは、窓Ａ〜Ｄや玄関ドアＥ等の施錠装置の施解錠状態を監視することに限定されない。例えばガス漏れの有無を監視するガス漏れ監視や、火災の有無を監視する火災監視であってもよい。すなわち、「状態監視」とは、建物の異常の有無を監視することの全てを示すものであってもよい。
【００８８】
次に、特許請求の範囲に記載された技術的思想のほかに、前述した実施形態によって把握される技術的思想を以下に列挙する。
（１）  請求項１〜４のいずれか１項に記載の建物用状態監視システムにおいて、前記登録モードは、前記センサ装置を通常態様で監視する通常登録設定が可能な通常登録モードと、前記センサ装置の前記特殊登録を設定可能な特殊登録モードとからなり、前記監視制御手段は、前記監視モードから登録モードに切り換わった際にはまず通常登録モードに切り換わり、該通常登録モードで所定の操作が行われた際に前記特殊登録モードに切り換わり、該特殊登録モードにおいて前記操作部が所定の態様で操作されたことを条件として前記特殊登録を行うこと。この技術的思想（１）に記載の発明によれば、通常登録及び特殊登録の誤登録を抑止することができる。
【００８９】
（２）  請求項１〜４、技術的思想（１）のいずれか１項に記載の建物用状態監視システムにおいて、前記既存の操作部は、前記警戒モードを解除するために用いられる暗証コード入力用の操作部であること。
【００９０】
（３）  監視対象の状態を検出するセンサ装置の登録が可能な登録モードと、登録されたセンサ装置からの入力信号に基づいて監視対象の状態を報知する監視モードと、該監視対象の状態が変化した際に警報を発する警戒モードとに切り換わる監視制御手段を有する建物用状態監視装置であって、前記監視制御手段は、前記登録モードにおいて他の機能に用いられる既存の操作部が所定の態様で操作されたことを条件として、通常監視機能とは異なる監視態様に設定された特殊監視機能を前記センサ装置に個別に設定する特殊登録を行うこと。
【図面の簡単な説明】
【００９１】
【図１】本発明の一実施形態の状態監視システムの概略構成を示すブロック図。
【図２】同実施形態のモニタ装置の外観図を概略的に示す正面図。
【図３】同実施形態の監視制御手段のモード遷移を模式的に示すブロック図。
【図４】（ａ）はモニタ装置に対するセンサ装置の本実施形態の登録手順を示すシーケンスチャート、（ｂ）はモニタ装置に対するセンサ装置の他の実施形態の登録手順を示すシーケンスチャート。
【図５】特殊監視態様と、該特殊監視態様を設定するための操作との関係を示す表。
【符号の説明】
【００９２】
１…建物用状態監視システム、２，２Ａ〜２Ｅ…センサ装置、３…モニタ装置、３３…監視制御手段としてのモニタ側マイクロコンピュータ（モニタ側マイコン）、３３ａ…メモリ、３４…表示手段としての表示部、３４ａ〜３４ｅ…ＬＥＤ、３６…登録スイッチ、３７…モード切換スイッチ、３８（３８ａ〜３８ｃ）…既存の操作部としての暗証入力スイッチ（第１〜第３暗証入力スイッチ）、Ａ〜Ｄ…監視対象としての窓、Ｅ…監視対象としての玄関ドア。
【図１】
2006172310.tif 000003
【図２】
2006172310.tif 000004
【図３】
2006172310.tif 000005
【図４】
2006172310.tif 000006
【図５】
2006172310.tif 000007